(57)【要約】【課題】水圧ブースター及びボール形状の水開閉部を通じて水の直噴射と停止動作を繰り返することによって果樹を摘花する動力型直噴射噴霧装置を提供すること。【解決手段】本発明の動力型直噴射噴霧装置によれば、後方が外部の水筒に接続され、内部に噴射空間が形成されるハウジング部と、ハウジング部の前方に組み付けられ、噴射空間に連通する水噴射部と、噴射空間内に形成され、中央に貫通孔が形成され、回転を通じて貫通孔に移動する水の移動を周期的に制限する水開閉部と、ハウジング部の下部で回動軸がハウジング部の長手方向に対して垂直に前記水開閉部と結合し、水開閉部を回転させる駆動部と、を含んで、水開閉部の回転に応じて噴射空間内を移動する水の移動または停止の動作を周期的に繰り返す。【選択図】図１
2017164742.tif 000002
【特許請求の範囲】
【請求項１】
後方が外部の水筒に接続され、内部に噴射空間が形成されるハウジング部と、
前記ハウジング部の前方に組み付けられ、前記噴射空間に連通する水噴射部と、
前記噴射空間内に形成され、中央に貫通孔が形成され、回転を通じて前記貫通孔に移動する水の移動を周期的に制限する水開閉部と、
前記ハウジング部の下部で回動軸が前記ハウジング部の長手方向に対して垂直に前記水開閉部と結合し、前記水開閉部を回転させる駆動部と、を含んで、
前記水開閉部の回転に応じて前記噴射空間内を移動する水の移動または停止の動作を周期的に繰り返すことを特徴とする動力型直噴射噴霧装置。
【請求項２】
前記貫通孔は、中央部に前記ハウジング部の長手方向に平行な方向で形成され、前記回動軸の回転で周期的に前記ハウジング部の内側面に密着して水の移動を制限することを特徴とする請求項１に記載の動力型直噴射噴霧装置。
【請求項３】
前記水噴射部は、直径が均一で、長さ０．０３ｍから０．０５ｍ範囲内の円筒形から形成され、前記水噴射部の中央部を前記ハウジング部の長手方向に貫通するノズル噴射孔を含むことを特徴とする請求項１に記載の動力型直噴射噴霧装置。
【請求項４】
前記水開閉部は、前記噴射空間の中央に配設されており、前記駆動部は、モータで形成されることを特徴とする請求項１に記載の動力型直噴射噴霧装置。
【請求項５】
前記駆動部は、外部の電源または内部に配置されるバッテリーを通じて電力の供給を受け、前記水開閉部を１秒当り２回から５回の範囲内で回転することを特徴とする請求項１に記載の動力型直噴射噴霧装置。
【請求項６】
前記水筒と前記ハウジング部との間を連結する噴霧ホースの一個所に設けられ、前記ハウジング部に供給される水の移動を周期的に制限して一定のパルスの水圧を形成させる水圧ブースターをさらに含むことを特徴とする請求項１に記載の動力型直噴射噴霧装置。
【請求項７】
前記水圧ブースターは、前記水筒に接続する流入口と前記ハウジング部に接続する流出口とが一側に備えられたケース、及び
前記ケース内に設けられ、前記流入口を通じて流入した水が移動と停止の動作を周期的に繰り返すようにする交番ユニットを含むことを特徴とする請求項６に記載の動力型直噴射噴霧装置。
【請求項８】
前記交番ユニットは、一定の長さを有するパイプ状の交番管と前記交番管の内部に設けられ、回転により前記水の移動を周期的に制限する回転体を含み、
前記回転体は、前記交番管の長手方向に平行な方向の貫通孔が形成されたボール形状の胴体及び前記交番管の一側外部に設けられた駆動モータの軸に嵌めて固定される固定軸から形成されることを特徴とする請求項７に記載の動力型直噴射噴霧装置。
【発明の詳細な説明】
【技術分野】
【０００１】
本発明は、間欠的に水圧の水を噴射して樹木の被害を減少させると共に、果樹を摘花する動力型直噴射噴霧装置に関するものである。
【背景技術】
【０００２】
本明細書で異なって表示しない限り、この識別項目で説明している内容は、本発明の請求範囲に対する従来の技術を意味するのではなく、また、この識別項目に記載されているとして従来技術として認められるものでない。
【０００３】
従来、果樹の果実の品質向上及び樹勢維持のために、摘果前に摘蕾（余分なつぼみを摘み取る）及び摘花（余分な花を摘み取る）の作業を行い、手作業で摘蕾及び摘花をしたり、摘花剤で花やつぼみを除去したりしている。最近、噴霧器を用いて摘花を試みている現状である。
【０００４】
しかし、噴霧器を用いて摘花する方法は、一定の水圧で直噴射される水が継続して枝に圧力を加えることにより枝が損傷する恐れがあるため、直噴射される水によって枝が損傷することを最小限に抑える発明が必要とされていた。
【０００５】
これに関連して、日本国実用新案登録出願公開公報昭６０-１３１１４２号は、果樹の花やつぼみを除去する果樹摘花期を開示しており、日本国特許出願公開公報特開平０９−１３５６２９号は、果樹の花を除去する摘花鋏を開示している。
【０００６】
しかし、従来の発明は、花やつぼみを除去するにおいて、利便性は改善したが、遠距離にある多数の花とつぼみを迅速、かつ、効果的に除去しながらも、枝の損傷を最小限に抑える発明は提示していないため、これを解決するために枝の損傷を最小限に抑えながらも遠距離にある花やつぼみを効率よく除去するための発明が必要とされる。
【先行技術文献】
【特許文献】
【０００７】
【特許文献１】日本国実用新案登録出願公開公報 実開昭６０-１３１１４２号
【特許文献２】日本国特許出願公開公報  特開平０９−１３５６２９号
【発明の概要】
【発明が解決しようとする課題】
【０００８】
本発明は、水圧ブースター及びボール形状の水開閉部を通じて水の直噴射と停止動作を繰り返すことで果樹を摘花する動力型直噴射噴霧装置を提供することにその目的がある。
【０００９】
また、前述したような技術的課題に限定されず、以下の説明からまた別の技術が導き出され得ることも自明である。
【課題を解決するための手段】
【００１０】
開示している本発明の一実施形態によれば、動力型直噴射噴霧装置は、後方が外部の水筒に接続され、内部に噴射空間が形成されるハウジング部と、前記ハウジング部の前方に組み付けられ、前記噴射空間に連通する水噴射部と、前記噴射空間内に形成され、中央に貫通孔が形成され、回転を通じて前記貫通孔に移動する水の移動を周期的に制限する水開閉部と、前記ハウジング部の下部で回動軸が前記ハウジング部の長手方向に対して垂直に前記水開閉部と結合して、前記水開閉部を回転させる駆動部と、を含んでおり、前記水開閉部の回転に応じて前記噴射空間内を移動する水の移動または停止の動作を周期的に繰り返す。
【００１１】
また、前記貫通孔は、中央部に前記ハウジング部の長手方向に平行な方向で形成され、前記回動軸の回転で周期的に前記ハウジング部の内側面に密着して水の移動を制限することができる。
【００１２】
また、前記水噴射部は、直径が均一であり、長さ０．０３ｍから０．０５ｍの範囲内の円筒形から形成され、前記水噴射部の中央部を前記ハウジング部の長手方向に貫通するノズル噴射孔を含むことができる。
【００１３】
また、前記水開閉部は前記噴射空間の中央に配設され、前記駆動部はモータで形成されることができる。
【００１４】
また、前記駆動部は、外部の電源または内部に配置されるバッテリーを通じて電力の供給を受け、前記水開閉部を１秒当り２回から５回の範囲内で回転することができる。
【００１５】
また、前記水筒と前記ハウジング部との間を連結する噴霧ホースの一個所に設けられ、前記ハウジング部に供給される水の移動を周期的に制限して一定のパルスの水圧を形成させる水圧ブースターをさらに含むことができる。
【００１６】
また、前記水圧ブースターは、前記水筒に接続する流入口と前記ハウジング部に接続する流出口とが一側に備えられたケース及び前記ケース内に設けられ、前記流入口を通じて流入した水が移動と停止の動作を周期的に繰り返すようにする交番ユニットを含むことかできる。
【００１７】
また、前記交番ユニットは、一定の長さを有するパイプ状の交番管と前記交番管の内部に設けられ、回転により前記水の移動を周期的に制限する回転体を含んでおり、前記回転体は、前記交番管の長手方向に平行な方向の貫通孔が形成されたボール形状の胴体及び前記交番管の一側の外部に設けられた駆動モータの軸に嵌めて固定される固定軸とから形成されることができる。
【発明の効果】
【００１８】
本発明によれば、動力型直噴射噴霧装置は、中央に貫通孔が形成され、内部の水の移動空間で回転するボール形状の水開閉部を通じて水を前方に移動させるか、または停止させる、間欠的な直噴射を誘導することで、摘花の途中に果樹に損傷が発生することを防止する。
【００１９】
また、水圧ブースターは、追加的に、間欠的な高圧の水供給機能を提供することにより動力で回転する水を使用しないか、または水開閉部の作動が不可能な場合、安定した直噴射を維持する効果がある。
【００２０】
また、水を間欠的に噴射するための高圧の環境がハウジング部の外部に離隔して配置される水圧ブースターで造成されるため、水開閉部の耐久性が増加し、直噴射する水の圧力が水圧ブースターで増幅されるという効果がある。
【００２１】
さらに、前述した本発明の効果は、発明者の認知の有無と関係なく、記載内容の構成により当然奏されるものであるため、前述した効果は記載された内容による幾つかの効果であって、発明者が把握または実在するすべての効果を記載したものと認められてはならない。
【００２２】
また、本発明の効果は、明細書全般にわたった記載により追加で把握されなければならず、たとえ明示的に記載されていなかったとしても記載内容が属する技術分野において通常の知識を有する者が本明細書を通して奏した効果があるものとして認められる効果であれば、本明細書に記載された効果として見做されるべきである。
【図面の簡単な説明】
【００２３】
【図１】本発明の一実施形態による動力型直噴射噴霧装置を示した斜視図である。
【図２】図１の動力型直噴射噴霧装置の駆動を示す断面図である。
【図３】図１の動力型直噴射噴霧装置の駆動を示す断面図である。
【図４】図１の水圧ブースターの分解斜視図である。
【発明を実施するための形態】
【００２４】
以下、添付図面を参照として、好適な実施形態による動力型直噴射噴霧装置の構成、動作及び作用効果について説明する。参考として、添付図面において、各構成要素は、利便性及び明確性のために省略したり、概略して示されており、各構成要素の大きさは、実際の大きさを反映したものではない。また、明細書全般にわたって、同一の図面符号は、同一構成要素を示しており、個別図面で同一構成に対する図面符号は省略する。
【００２５】
図１は、本明細書に開示されている一実施形態による動力型直噴射噴霧装置を示した斜視図である。図２及び図３は、図１の動力型直噴射噴霧装置の駆動を示す断面図である。 
【００２６】
動力型直噴射噴霧装置１００は、水圧ブースター２００、ハウジング部３００、水噴射部４００、水開閉部５００及び駆動部６００を含む。
【００２７】
動力型直噴射噴霧装置１００は、水を噴射させることで果樹に咲く花やつぼみを除去する装置であって、水の噴射と停止動作を繰り返す駆動を通じて果樹の損傷を最小限に抑えると共に摘花可能な装置である。
【００２８】
水圧ブースター２００は、噴霧ホース１０を通じて水を吸い上げるポンプまたは水筒に接続し、ハウジング部３００に供給する水の移動を周期的に制限して水の直噴射を停止または駆動させる一定のパルスの水圧を安定して提供する。
【００２９】
ハウジング部３００は、噴射部締付具３１０及びホース締付具３２０を含む。
【００３０】
ハウジング部３００は、前方に向かって延長するように形成され、後方に噴霧ホース１０に接続した水流入部が結合し、前記水流入部に接続し、前方に向かって延設される噴射空間２０が内部に形成される。
【００３１】
噴射部締付具３１０は、ハウジング３００の前方に突出して形成され、水噴射部４００の後方に螺合するように外側面にねじ山が刻設されており、ホース締付部３２０は、ハウジング部３００の後方に突出して形成され、後方に結合する噴霧ホース１０の内側に結合するように形成される。
【００３２】
水噴射部４００は、水噴射部４００の後方に形成され、ノズル噴射孔４２０の一部を取り囲む形態のハウジング連結端４１０、及びハウジング３００の前方から前記噴射空間２０に連結され、前記噴射空間２０より相対的に小さい大きさで中央の一部分が前方に向かって貫通延長して外部空間に繋がるノズル噴射孔４２０を含む。
【００３３】
ノズル噴射孔４２０は、噴射空間２０から前方に延設されながら徐々に狭くなる形態で形成され、水噴射部４００の中央部では一定の形態で前方に向かって貫通延長され、前方の外部空間に繋がる。
【００３４】
水開閉部５００は、胴体５１０及び貫通孔５２０を含む。
【００３５】
胴体５１０は、噴射空間２０の中央部に円形のボール形状で配設され、噴霧ホース１０から流入する水の水噴射部４００への移動を遮断し、中央にはハウジング部３００の長手方向に貫通形成される貫通孔５２０が設けられることにより、水が貫通孔５２０を通じて水噴射部４００に移動することができる。
【００３６】
胴体５１０は駆動部６００に接続し、駆動部６００の駆動により回転すると、貫通孔５２０を通じて前方に移動する水の移動を周期的に制限する。
【００３７】
駆動部６００は、カバー６１０、回動軸６２０、及び駆動モータ６３０を含む。 
【００３８】
カバー６１０は、内部に空間を有する円筒状から形成されており、内部には駆動モータ６３０が配置されており、回動軸６２０において、一端は、駆動モータ６３０の駆動軸に結合し、他端は、ハウジング部３００の長手方向に対して垂直方向に延長され、水開閉部５００と結合する。
【００３９】
具体的に、駆動モータ６３０が駆動すると、回動軸６２０が回転することで胴体５１０が噴射空間で回転し、貫通孔５２０は、胴体５１０の回転により、ハウジング部３００の長手方向に配設され、ホース締付部３２０に隣接した噴射空間２０と噴射部締付部３１０に隣接した噴射空間２０を互いに連通させるか、または貫通孔５２０の入口及び出口それぞれがハウジング部３００の内側面とそれぞれ密着して噴射空間２０を二つの空間に分ける。
【００４０】
したがって、噴霧ホース１０を通じて噴射空間２０に流入する水は、貫通孔５２０の位置変更で水噴射部４００のノズル噴射孔４２０に所定量ほど移動した後に停止し、またノズル噴射孔４２０に移動する、間欠的な移動動作が周期的に繰返し駆動する。
【００４１】
また、水開閉部５００が水の移動を遮断する間に水の圧力が上昇した状態で貫通孔５２０が水の移動のための通路を提供する瞬間、水が高圧に噴射されてノズル噴射孔４２０を通じて外部に噴出すると共に高圧の直噴射が可能となる効果がある。
【００４２】
また、水圧ブースター２００及び水開閉部５００のうち、いずれか一つの機能が中断すると、水圧ブースター２００及び水開閉部５００のうち、中断していないいずれか一つが駆動して水を前方に向かって間欠的に直噴射するため、長時間安定して間欠的に直噴射することができる。
【００４３】
また、使用者は、カバー６１０を把持した状態で、水噴射部４００を花またはつぼみに照準を定めて使用することができ、摘花中に動力型直噴射噴霧装置１００を容易に把持して使用することができる。
【００４４】
また、貫通孔５２０の位置は、駆動モータにより回動軸６２０の軸周りに回転するため、噴霧ホース１０から流入する水が胴体５１０の回転に影響を及ぼすことを最小限に抑え、これを通じて安定して間欠的な水噴射が可能となる効果がある。
【００４５】
一方、動力型直噴射噴霧装置１００の活用方法として、水が溜まった５００Ｌの水筒とハウジング部３００を噴霧ホース１０に接続し、５００Ｌの水の圧力が水開閉部５００の後方の噴射空間２０で２０Ｋｇ相当の圧力を維持した状態で、駆動部６００の駆動により水開閉部５００を回転させると、水噴射部４００から高圧の水が間欠的に噴射される。
【００４６】
直噴射と停止とが自動で繰り返し行われると、間欠的な直噴射を通じて花やつぼみに衝撃を与えることで花芽と花が除去されるが、果樹の損傷は最小限に抑えて、作業者の作業効率を改善することができる。
【００４７】
また、作業者がわざわざ梯子を使って花や花芽を除去せずに、遠距離で花や花芽を除去することができ、労働力と作業費用及び時間が低減できると共に、梯子の利用による危険性も減少する効果がある。
【００４８】
図４は、図１の水圧ブースターの分解斜視図を示す。図４に示すように、水圧ブースター２００は、ケース２１０、固定装置２２０、第１ライン２３０、交番ユニット２４０、減速機２７０、第２ライン２８０、バッテリー２９０、遮断膜２９５及び駆動モータ２９７を含む。
【００４９】
ケース２１０は、側面支持体２１１及び側面緩衝ユニット２１２を含む。
【００５０】
側面支持体２１１は、ケース２１０の内部側面に沿って互いに所定の間隔をおいて離隔してケース２１０の中央に向かって突設されており、内部に形成された第１ライン２３０、交番ユニット２４０及び第２ライン２８０が水圧により揺れて位置が変更することによって直噴射する水の圧力の不規則な変動を防止すると共に、ケース２１０の耐久性を向上させる。
【００５１】
側面緩衝ユニット２１２は、ケース２１０の内部側面に形成され、ケース２１０の側面と内部空間との間に別途の緩衝空間が形成されるように側壁形態で前記緩衝空間を囲むように配置され、前記緩衝空間は、第１ライン２３０または第２ライン２８０を通じて高圧の水が移動しながら発生する第１ライン２３０または第２ライン２８０それぞれの変形による衝撃を緩和させ、水の安定した噴射を誘導してケース２１０の耐久性を向上させる。
【００５２】
交番ユニット２４０は、交番管２５０及び回転体２６０を含んでおり、回転体２６０は胴体２６１、貫通孔２６２及び固定軸２６３を含む。
【００５３】
交番ユニット２４０は、ケース２１０の一側の内部に配設され、内部に空間が形成され、一定の長さを有しながら、パイプ形態に設けられ、第１ライン２３０を通じて水を含む液体が交番ユニット２４０に流入すると、交番ユニット２４０の内部の装置が駆動し、液体を第２ライン２８０に向かって供給したり、供給を停止したりする動作を周期的に繰り返す。
【００５４】
交番管２５０は、ケース２１０の内部の一側に密着して配置され、流入口２５及び流出口４０それぞれと所定の距離を置いて互いに離隔して配置され、一定の長さを有するパイプ形態に形成される。
【００５５】
回転体２６０は、交番管２５０の内部に設けられ、回転により水の移動を周期的に停止させ、駆動モータ２９７及び減速機２７０に接続されて駆動モータ２９７の駆動により交番管２５０の内部で周期的に回転する。
【００５６】
減速機２７０は、駆動モータ２９７と交番ユニット２４０との間に配置され、駆動モータ２９７の駆動を減速させ、交番ユニット２４０を通過する水の移動速度及び水の量を制御し、誤作動により駆動モータ２９７の回転数が急激に増加すると、減速機２７０を通じて減速させる。
【００５７】
駆動モータ２９７は、ケース２１０の内部の中央に配置され、第１ライン２３０、交番ユニット２４０及び第２ライン２８０により取り囲まれた形態で配置され、駆動モータ２９７の一側の外部に設けられた軸は交番管２５０の側面を貫通して回転体２６０に嵌め込まれて固定される。
【００５８】
回転体２６０の中央に形成される胴体２６１は、交番管の長さ方向に平行な方向に胴体２６１の中央を貫通する貫通孔２６２が形成され、固定軸２６３は、胴体２６１から交番管２５０を貫通し、駆動モータ２９７に向かって延長され、胴体２６１と駆動モータ２９７との間に配置される。
【００５９】
したがって、胴体２６１が駆動モータ２９７の駆動により回転すると、貫通孔２６２が交番管２５０の長手方向と同じ方向に位置する状態が周期的に発生し、貫通孔２６２が交番管２５０の長手方向と同じ方向に位置する状態では第１ライン２３０から交番管２５０に流入する水が貫通孔２６２を通って第２ライン２８０に移動し、前記噴射空間２０に供給されることになる。
【００６０】
交番ユニット２４０を通じて間欠的でありながら、周期的に第２ライン２８０に移動する水は、流出口４０と噴霧ホース１０を通じて噴射空間２０に移動し、噴射空間２０を通ってノズル噴射孔４２０から前方に向かって直噴射される。
【００６１】
バッテリー２９０は、駆動モータの一側に配置され、第１ライン２３０または第２ライン２８０に隣接して配設されており、駆動モータ２９７とバッテリー２９０との間には遮断膜２９５が形成されることで、バッテリー２９０から発生する熱が駆動モータ２９７に影響を及ぼすことを防止する。
【００６２】
そして、駆動モータ２９７の駆動により発熱するバッテリー２９０は、第１ライン２３０または第２ライン２８０から移動する水を通じて自然に冷却され、バッテリーの効率性及び安定性が増加するという効果がある。
【００６３】
流入口２５及び流出口４０に形成されるホース連結部それぞれは、噴霧ホース１０を第１ライン２３０及び第２ライン２８０それぞれに漏水しないように嵌合し、外部に露出しているボルトを回転して噴霧ホース１０と第１及び第２ライン２３０、２８０それぞれが密着嵌合することによって、ボルトの回転で容易に噴霧ホース１０を着脱することができる。
【００６４】
遮断膜２９５は、耐熱性を持つ高分子、金属またはセラミック材から形成され、駆動モータ２９７の駆動衝撃がバッテリー２９０に伝わることを防止するために変形構造が形成され、内部にクッション空間が形成されて駆動衝撃を緩和する。
【００６５】
したがって、水圧ブースター２００から間欠的な高圧の水の供給を通じて水開閉部５００の頻繁な駆動による疲労度が顕著に減少し、水開閉部５００の耐久性が増加し、安定した直噴射が可能となる。
【００６６】
一方、回転体２６０の回転は、駆動モータ２９７の調整により制御することができ、駆動モータ２９７及びバッテリー２９０それぞれは、別途の連結端子を通じて外部機器に接続し、外部機器を通じて出力が制御されたり、外部電源による充電が可能である。
【００６７】
また、水圧ブースター２００は、安定的で、均一な水圧で摘花するために水流入部から１ｍから３ｍ範囲内の地点に設けられ、離隔する距離を通じて摘花のための最適な水圧の水を直噴射することができる。
【００６８】
また、交番ユニット２４０の回転体２６０は、１秒当り１回から３回の範囲内で回転するように設定すると、回転体２６０の回転で間欠的に噴射する高圧の水が摘花中に果樹の損傷を防止する噴霧環境に設定できる。
【００６９】
以上、添付図面を参照して本発明の好適な実施形態について説明したが、本明細書に記載された実施形態及び図面に示した構成は、本発明の最も好適な一実施形態に過ぎず、本発明の技術的思想を全て代弁しているわけではないので、本出願時点でこれらに代替することができる様々な均等物と変形形態があり得ることを理解しなければならない。そのため、上述した実施形態は全ての面で例示的なものであって、限定的なものではないと理解しなければならず、本発明の範囲は詳細な説明よりは後述する特許請求の範囲によって示されており、特許請求の範囲の意味及び範囲並びにその等価概念から導出される全ての変更または変形形態が本発明の範囲に含まれるものと解釈されなければならない。
【符号の説明】
【００７０】
１００  動力型直噴射噴霧装置
２００  水圧ブースター
３００  ハウジング部
４００  水噴射部
５００  水開閉部
６００  駆動部
【図１】
2017164742.tif 000003
【図２】
2017164742.tif 000004
【図３】
2017164742.tif 000005
【図４】
2017164742.tif 000006